(57)【要約】【課題】異径ドリルをキャップをチャック体から螺戻するだけの簡単な作業で、挿入中のドリルを抜出し、直ちに別個の所望する径のドリルを差し替え挿入し、キャップをチャック体に螺入するだけで２度目に挿入したドリルを緊締固着できるようにした。【解決手段】ドリル２をチャックするチャック体１の前方部にドリル頭部３を嵌挿する開口部４付きの嵌挿孔５を形成し、且前記開口部４から内側方に切込むスリット６と、前記スリット６が形成されている部位周辺の外周部７に雄ネジ８を夫々形成し、後方部に雄ネジ８を夫々形成し、後方部に電動ドライバーｂに嵌着のドライバービット１０に嵌脱せしめるドライバービット嵌脱機構９を形成すると共に、雌ネジ１３を有するキャップ１１を雄ネジ８に螺着せしめる。【選択図】      図１
0003134807.tif 000002
【実用新案登録請求の範囲】
【請求項１】
ドリルをチャックするチャック体の前方部にドリル頭部を嵌挿する開口部付きの嵌挿孔を形成し、且前記開口部から内側方に切込むスリットと、前記スリットが形成されている部位周辺の外周部に雌ネジを夫々形成し、後方部に雄ネジを夫々形成し、後方部に電動ドライバーに嵌着のドライバービットに嵌脱せしめるドライバービット嵌脱機構を形成すると共に、雄ネジを有するキャップを前記雄ネジに螺着せしめることを特徴とする電動ドライバーのドリルチャック機構。
【請求項２】
前記チャック体のスリットは、複数形成せしめることを特徴とする請求項１記載の電動ドライバーのドリルチャック機構。
【請求項３】
前記チャック体の嵌挿孔は、前記スリットの切込みの長さよりも長く形成せしめることを特徴とする請求項１又は同２記載の電動ドライバーのドリルチャック機構。
【請求項４】
前記ドライバービット嵌脱機構は、前記チャック体の後方部に、前記ドライバービットが嵌挿可能な開口部を有し、且角形状の後方嵌挿孔を形成し、前記チャック体の後方部の外周部から前記後方嵌挿孔内にかけて前記後方嵌挿孔の開口部方向に傾斜する傾斜状切欠部を形成し、前記チャック体の外周部の切欠部の基部にバネの一端部を係止する突出部を突設し、前記チャック体の外周部に捲廻する前記バネの他端部を前記傾斜状切欠部に挿入せしめ、前記突出部より後方のチャック体の外周部に形成のストッパーによって係止のカラー部を前記チャック体の外周部に嵌挿し、前記チャック体の後方部の外周部に嵌挿する後方嵌挿部を有し、且前記カラー部に嵌挿する段部付き拡径状前方嵌挿部を有する外側筒部を形成し、前記外側筒部を前記チャック体の外周部と前記カラー部及び前記突出部との間の前記チャック体の外周部に嵌挿する小径嵌挿部と、前記突出部が嵌挿する開口部付き大径嵌挿部とからなる前記傾斜状切欠部に嵌挿のバネを押圧調節するバネ押圧調節部を形成することを特徴とする請求項１又は同２又は同３記載の電動ドライバーのドリルチャック機構。
【請求項５】
前記バネ押圧調節部の長さを、前記カラー部の内側面部と、前記拡径状前方嵌挿部の段部との長さよりも短く形成することを特徴とする請求項１又は同２又は３又は同４記載の電動ドライバーのドリルチャック機構。
【考案の詳細な説明】
【技術分野】
【０００１】
本考案は、電動ドライバーのドリルチャック機構に関するものである。
【背景技術】
【０００２】
従来、工具体として、特開２００２−１２７１０７公開特許公報の発明が開示されている。
【０００３】
前記工具体３は、一端部に錐、ドリルなどの先鋭回動部３ａの頭部を固着し、他端部は開口部付きの孔３ｂ’と、前記孔３ｂ’内に突片４を形成したものである。
【０００４】
前記開示の工具体３の孔３ｂ’内にビット２を嵌挿した際、ビット２の湾曲係止溝２ａに突片４が係止するだけで、前記工具体３とビット２とを接続していた。
【０００５】
そのため、前記工具体３は、前記ビット２の湾曲係止溝２ａと、前記工具体３の突片４との間に隙間が生じ、回転作業時にがた付きが生じるおそれがある。
【０００６】
さらに、前記開示の公報以外に、現在電動ドライバーに、ドライバービットを嵌着したまま、ドリルを着脱できる製品が市販されている。
【０００７】
前記市販の製品は、ドリルを着脱式にして固着するチャック機構を有しているが、前記チャック機構の一端部は径が異なる前記ドリルを前記チャック機構に接続し、固着する手段として、六角ビスを六角棒レンチで緊締して固定し、他端部は前記電動ドライバーに嵌着するジョイント部が形成されている構造のものである。
【０００８】
また、前記開示の公報以外に、電動ドライバーに装着できるピンバイス片頭式ドリルチャック機構を有するものが市販されている。
【０００９】
前記ピンバイス片頭式ドリルチャック機構の一端部は、左側方と右側方に夫々スリットを形成し、且径が異なるドリルを嵌挿可能にした通常六角形状の嵌挿孔を形成するドリルチャック体を形成し、さらに前記チャック体を嵌挿する開口部付きの嵌挿孔と、外周部にネジを設け、前記開口部付きの嵌挿孔と反対側の他端部は、六角形状の湾曲係止溝を有するシャンクからなる嵌挿体を形成し、前記ドリルチャック体の一方の嵌挿孔に、ドリルを挿入後、前記ドリルチャック体を前記嵌挿体の嵌挿孔に挿入し、挿入後は雌ネジを内設のキャップを前記嵌挿体のネジ付き嵌挿孔に螺入し、前記ドリルを固着する電動ドライバーに装着できる精密ドリルチャック機構からなる製品である。
【特許文献１】特開２００２−１２７１０７公開特許公報
【考案の開示】
【考案が解決しようとする課題】
【００１０】
前記開示の特開２００２−１２７１０７公開特許公報の工具体３は、ビット２に嵌挿した際、前記工具体３と前記ビット２との嵌合関係が、湾曲係止溝２ａに突片４が嵌挿し、前記工具体３の抜け出しを防止する程度なので、両者の嵌着が強固とならず、がた付いたり、芯振れして作業性が良好でなかった。
【００１１】
さらに前記開示の公開特許公報以外に、市販されている前記前段の製品は、径が異なるドリルを交換するには、六角レンチで六角ビスをゆるめ嵌挿しているドリルを取出し、再度別径のドリルを挿入し、前記六角レンチで六角ビスを緊締する作業を必要としている。
【００１２】
そのため、ドリルの交換には、六角ビスと六角レンチを使用する煩雑な緊締作業を必要としていた。
【００１３】
また、前記開示の特許公報以外に市販されている前記後段の精密ドリルチャック製品は、径が異なるドリルを交換するときは、前記嵌挿体と、ドリルチャック体に嵌着のキャップを螺戻し嵌挿体から前記ドリルチャック体を取出し、嵌挿中のドリルを抜出し、次いで径が異なるドリルを前記ドリルチャック体の他の嵌挿孔に挿入し、挿入後前記ドリルチャック体に嵌挿せしめ、再度キャップを螺入して、前記ドリルチャック体を緊締する手法であり、そのため作業が極めて煩雑であった。
【００１４】
しかるに、本考案の電動ドライバーのドリルチャック機構は、異径ドリルをキャップをチャック体から螺戻するだけの簡単な作業で、挿入中のドリルを抜出し、直ちに別個の所望する径のドリルを差し替え挿入し、前記キャップを前記チャック体に螺入するだけで２度目に挿入したドリルを緊締固着せしめることができるようにした。
【００１５】
さらに、本考案の電動ドライバーのドリルチャック機構は、前記電動ドライバーにセット中に、がた付くことはなく、安全且安心してドリル作業ができる。
【００１６】
また、本考案の電動ドライバーのドリルチャック機構は、チャック体の後方部に前記電動ドライバーに既に嵌着しているドライバービットが嵌脱するドライバービット嵌脱機構を形成して前記電動ドライバーが回動中でも、前記ドライバービットから極めて簡単な操作で離脱できる。
【００１７】
さらに、本考案の電動ドライバーのドリルチャック機構は、従来公知の市販のものよりも、構造がシンプルで製作費も安価に提供できるようにした。
【課題を解決するための手段】
【００１８】
課題を解決するための手段として、請求項１記載の考案は、ドリル２をチャックするチャック体１の前方部にドリル頭部３を嵌挿する開口部４付きの嵌挿孔５を形成し、且前記開口部４から内側方に切込むスリット６と、前記スリット６が形成されている部位周辺の外周部７に雄ネジ８を夫々形成し、後方部に雄ネジ８を夫々形成し、後方部に電動ドライバーｂに嵌着のドライバービット１０に嵌脱せしめるドライバービット嵌脱機構９を形成すると共に、雌ネジ１３を有するキャップ１１を前記雄ネジ８に螺着せしめることを特徴とする電動ドライバーのドリルチャック機構である。
【００１９】
課題を解決するための手段として、請求項２記載の考案は、前記チャック体１のスリット６は、複数形成せしめることを特徴とする請求項１記載の電動ドライバーのドリルチャック機構である。
【００２０】
課題を解決するための手段として、請求項３記載の考案は、前記チャック体１の嵌挿孔５は、前記スリット６の切込みの長さよりも長く形成せしめることを特徴とする請求項１又は同２記載の電動ドライバーのドリルチャック機構である。
【００２１】
課題を解決するための手段として、請求項４記載の考案は、前記ドライバービット嵌脱機構９は、前記チャック体１の後方部に、前記ドライバービット１０が嵌挿可能な開口部１３を有し、且角形状の後方嵌挿孔１４を形成し、前記チャック体１の後方部の外周部１５から前記後方嵌挿孔１４内にかけて前記後方嵌挿孔１４の開口部１３方向に傾斜する傾斜状切欠部１６を形成し、前記チャック体１の外周部１５の切欠部１６の基部１７にバネ１８の一端部を係止する突出部１９を突設し、前記チャック体１の外周部１５に捲廻する前記バネ１８の他端部を前記傾斜状切欠部１６に挿入せしめ、前記突出部１９より後方のチャック体１の外周部１５に形成のストッパー２１によって係止のカラー部２２を前記チャック体１の外周部１５に嵌挿し、前記チャック体１の後方部の外周部１５に嵌挿する後方嵌挿部２４を有し、且前記カラー部２２に嵌挿する段部２５付き拡径状前方嵌挿部２６を有する外側筒部２３を形成し、前記外側筒部２３を前記チャック体１の外周部１５と前記カラー部２２及び前記突出部１９との間の前記チャック体１の外周部１５に嵌挿する小径嵌挿部２８と、前記突出部１９が嵌挿する開口部付き大径嵌挿部２９とからなる前記傾斜状切欠部１６に嵌挿のバネ１８を押圧調節するバネ押圧調節部２７を形成することを特徴とする請求項１又は同２又は同３記載の電動ドライバーのドリルチャック機構である。
【００２２】
課題を解決するための手段として、請求項５記載の考案は、前記バネ押圧調節部の長さを、前記カラー部２２の内側面部と、前記拡径状前方嵌挿部２６の段部２５との長さよりも短く形成することを特徴とする請求項１又は同２又は３又は同４記載の電動ドライバーのドリルチャック機構である。
【考案の効果】
【００２３】
請求項１記載の考案は、ドリルをチャックするチャック体の前方部にドリル頭部を嵌挿する開口部付きの嵌挿孔を形成し、且前記開口部から内側方に切込むスリットと、前記スリットが形成されている部位周辺の外周部に雄ネジを夫々形成し、後方部に雄ネジを夫々形成し、後方部に電動ドライバーに嵌着のドライバービットに嵌脱せしめるドライバービット嵌脱機構を形成すると共に、雌ネジを有するキャップを前記雄ネジに螺着せしめる電動ドライバーのドリルチャック機構なので、所定の径をドリルチャック機構のチャック体に嵌挿するには、前記チャック体に所定の径のドリルを嵌挿し、前記嵌挿後キャップを前記チャック体に嵌挿し、螺入するだけで、嵌挿したドリルを確実にして、且簡単に締め付けることができる。
【００２４】
さらに、本考案は、別径のドリルと交換するには、前記チャック体に緊締中の前記キャップを螺戻せしめ取出すことによって、嵌挿中のドリルが簡単に抜出できる。そして、前記別径のドリルと差し替え、且再度前記キャップを前記チャック体に螺入することによって、前記ドリルを極めて簡単、且確実に緊締できる。
【００２５】
また、本考案は、ドライバービット嵌脱機構を付設したので、電動ドライバーのドライバービットに対し確実に嵌着したり、あるいは前記電動ドライバーの回転中において、ドリルチャック機構を離脱せしめることができる利点を有している。
【００２６】
請求項２記載の考案は、前記チャック体のスリットは、複数形成せしめることを特徴とする電動ドライバーのドリルチャック機構なので、請求項１記載の考案の効果と同じ効果を有している。
【００２７】
請求項３記載の考案は、前記チャック体の嵌挿孔は、前記スリットの切込みの長さよりも長く形成せしめることを特徴とする電動ドライバーのドリルチャック機構なので、前記請求項１又は同２記載の考案の効果と同じ効果を有している。
【００２８】
請求項４記載の考案は、前記ドライバービット嵌脱機構は、前記チャック体の後方部に、前記ドライバービットが嵌挿可能な開口部を有し、且角形状の後方嵌挿孔を形成し、前記チャック体の後方部の外周部から前記後方嵌挿孔内にかけて前記後方嵌挿孔の開口部方向に傾斜する傾斜状切欠部を形成し、前記チャック体の外周部の切欠部の基部にバネの一端部を係止する突出部を突設し、前記チャック体の外周部に捲廻する前記バネの他端部を前記傾斜状切欠部に挿入せしめ、前記突出部より後方のチャック体の外周部に形成のストッパーによって係止のカラー部を前記チャック体の外周部に嵌挿し、前記チャック体の後方部の外周部に嵌挿する後方嵌挿部を有し、且前記カラー部に嵌挿する段部付き拡径状前方嵌挿部を有する外側筒部を形成し、前記外側筒部を前記チャック体の外周部と前記カラー部及び前記突出部との間の前記チャック体の外周部に嵌挿する小径嵌挿部と、前記突出部が嵌挿する開口部付き大径嵌挿部とからなる前記傾斜状切欠部に嵌挿のバネを押圧調節するバネ押圧調節部を形成する電動ドライバーのドリルチャック機構なので、前記外側筒部を前記チャック体の前方部方向に押圧するだけで、前記ドライバービットから極めて簡単にして、且確実にドリルチャック機構を、前記ドライバービットが回転中であっても、簡単にして、且確実に離脱できる。
【００２９】
さらに本考案は、前記請求項１又は同２又は同３記載の考案の効果と同じ効果を有している。
【００３０】
請求項５記載の考案は、前記バネ押圧調節部の長さを、前記カラー部の内側面部と、前記拡形状前方嵌挿部の段部との長さよりも短く形成する電動ドライバーのドリルチャック機構なので、前記請求項１又は同２又は３又は同４記載の考案の効果と同じ効果を有している。
【考案を実施するための最良の形態】
【００３１】
本考案の請求項１〜５記載の考案に関する実施の形態は共通しているので、以下のとおり一括して説明する。
【００３２】
図において、ａは本考案のドリルチャック機構である。ｂは電動ドライバーである。
【００３３】
前記ドリルチャック機構ａは以下の構成からなっている。
【００３４】
１はドリル２をチャックするチャック体であり、前記チャック体１の前方部にドリル２の頭部３を嵌挿する開口部４付きの嵌挿孔５を形成する。さらに、前記嵌挿孔５の径は、前記ドリル２の頭部が嵌挿可能な大きさである。
【００３５】
そして、前記開口部４から内側方に切込む複数のスリット６を形成する。
【００３６】
前記ドリル２は、径の異なるものを前記頭部３を付設して予め複数設け使用する。
【００３７】
さらに、前記スリット６が形成されている部位の全体もしくは一部の周辺の外周部７に、雄ネジ８を形成する。
【００３８】
９は前記チャック体１の後方部に電動ドライバーｂの前方部に嵌着するドライバービット１０に嵌脱自在に形成したドライバービット嵌脱機構である。
【００３９】
１１は内側に雌ネジ１３を形成のキャップである。内側は貫通する貫通孔１２となっている。
【００４０】
前記スリット６の切込みの長さは、チャック体１の嵌挿孔５の長さよりも短い。
【００４１】
つぎに、ドライバービット嵌脱機構９について説明する。
【００４２】
図１に図示されているように、ドライバービット嵌脱機構９は、前記チャック体１の後方部に形成される。
【００４３】
前記チャック体１の後方部に、前記ドライバービット１０が嵌挿可能な開口部１３を有し、且角形状（通常六角形状）の後方嵌挿孔１４を形成する。
【００４４】
さらに、前記チャック体１の後方部の外周部１５から、前記後方嵌挿孔１４内にかけて、前記後方嵌挿部１４の開口部１３方向に傾斜する傾斜状切欠部１６を形成する。
【００４５】
そして、前記チャック体１の外周部１５の切欠部１６の基部１７に、バネ１８の一端部を係止する突出部１９を突設する。
【００４６】
さらに、前記チャック体１の外周部１５に捲廻する前記バネ１８の他端部２０を、前記傾斜状切欠部１６に挿入する。
【００４７】
２１は前記突出部１９より後方のチャック体１の外周部１５に形成したストッパーである。前記ストッパー２１によって係止可能なカラー部２２を形成し、前記カラー部２２を前記チャック体１の外周部１５に嵌挿する。
【００４８】
また、前記チャック体１の後方部の外周部１５には、前記外周部１５に嵌挿する後方嵌挿部２４を有し、且前記カラー部２２に嵌挿する段部２５付き拡径状前方嵌挿部２６を有する外側筒部２３を形成する。
【００４９】
前記外側筒部２３は、前記チャック体１の外周部１５と、前記カラー部２２に嵌挿する。
【００５０】
２７は前記カラー部２２と前記突出部１９が嵌挿する開口部２８付き大径嵌挿部２９と、前記カラー部２２と突出部１９との間のチャック体１の外周部に嵌挿する小径嵌挿部２８とからなる前記切欠部１６に嵌挿のバネ１８の押圧を調節するバネ押圧調節部である。
【００５１】
そして、前記バネ押圧調節部２７は、その長さを前記カラー部２２の内側面部２２ａと、前記拡径状前方嵌挿部２６の段部２５との長さよりも短く形成する。
【００５２】
さらに、本考案のドリルチャック機構ａの作用を説明する。
【００５３】
前記本考案のドリルチャック機構ａは、図２に図示されているように、電動ドライバーｂに嵌着するドライバービット１０の先端部を前記ドリルチャック機構ａを形成するチャック体１の後方嵌挿孔１４に嵌挿する。
【００５４】
前記のようにして嵌挿した前記ドライバービット１０と、前記ドリルチャック機構ａとは接着状態が維持される。
【００５５】
さらに、所定径のドリル２の頭部３を先頭にして前記嵌挿孔５に嵌挿し、嵌挿後前記キャップ１１を前記チャック体１に螺入すると、前記スリット６が締め付けられ、内挿する前記ドリル２の頭部３をも同時に締め付ける。そのため前記ドリル２は、容易に抜出さない。
【００５６】
つぎに、前記ドリルチャック機構ａを前記ドライバービット１０から離脱する手順は以下のとおりである。
【００５７】
本考案は、前記電動ドライバーｂを回転させたまま前記ドライバービット１０からドリルチャック機構ａを離脱させることができる。
【００５８】
その手法は、ドライバービット嵌脱機構９の外側筒部２３の段部２５が、前記傾斜状切欠部１６内に挿入中の前記バネ１８一端部を、チャック体１の前方部方向に押圧せしめると、前記傾斜状切欠部１６内のバネ１８が、前記切欠部１６より離脱し、そのときドライバービット１０の凹部１０ａに挿入していた前記バネ１８の一端部が外れる。外れたら、前記ドリルチャック機構ａが離脱する。
【００５９】
前記のような操作によって、前記ドリルチャック機構ａは、極めて簡単に前記ドライバービット１０より離脱できる。
【００６０】
さらに、本考案のドリルチャック機構ａのバネ押圧調節部２７が前記ドライバービット１０から離脱する以前の状態は、図３の一部切欠縦断面図のとおりである。
【００６１】
即ち、前記外側筒部２３は、前記筒部２３を前記チャック体１の前方部方向に押圧させないときは、図３の図示状態のとおり、前記バネ押圧調節部２７は、前方端部２７ａが前記突出部１９に係止されている。
【００６２】
しかし、前記外側筒部２３を前記チャック体１の前方部方向に押圧すると、前記バネ押圧調節部２７の後方端部２７ｂを前記バネ１８と共に押圧する。その際前記バネ押圧調節部２７の前方端部２７ａが、前記カラー部２２に接触し、前記外側筒部２３の前進がストップし、前記ドリルチャック機構ａが前記ドライバービット１０から離脱できる。
【００６３】
さらに、本考案は、前記キャップ１１を螺戻することによって、前記ドリル２を取出し、別径のドリルを挿入し、前記キャップ１１をチャック体１に螺着する。
【図面の簡単な説明】
【００６４】
【図１】本考案電動ドライバーのドリルチャック機構のドリルを組立てる前の一部切欠縦断正面図である。
【００６５】
【図２】同チャック機構を組立てた一部切欠正面図である。
【００６６】
【図３】同チャック機構を電動ドライバーのドライバービットに嵌挿せしめた一部切欠縦断正面図である。
【符号の説明】
【００６７】
ａ      ドリルチャック機構
ｂ      電動ドライバー
１      チャック体
２      ドリル
３      頭部
４      開口部
５      嵌挿孔
６      スリット
７      外周部
８      雄ネジ
９      ドライバービット嵌脱機構
１０    ドライバービット
１０ａ  凹部
１１    キャップ
１２    貫通孔
１３    雌ネジ
１４    後方嵌挿孔
１５    外周部
１６    傾斜状切欠部
１７    基部
１８    バネ
１９    突出部
２０    他端部
２１    ストッパー
２２    カラー部
２２ａ  内側面部
２３    外側筒部
２４    後方嵌挿部
２５    段部
２６    前方嵌挿部
２７    バネ押圧調節部
２７ａ  前方端部
２８    小径嵌挿部
２９    大径嵌挿部
【図１】
0003134807.tif 000003
【図２】
0003134807.tif 000004
【図３】
0003134807.tif 000005